(57)【特許請求の範囲】
【請求項１】
人体排泄物を収集するための袋部材(1;101)であって、前記袋部材の外側輪郭を画成する結合エッジ(4)にて少なくとも二つの外側フィルムブランク(2,3)を接合することにより形成された袋部材(1;101)と、
前記少なくとも二つの外側フィルムブランク(2,3)のうち、使用者に前記袋部材(1;101)が装着された状態において使用者の方を向く外側フィルムブランク(2又は3)に設けられ、前記袋部材内に人体排泄物を入れるための入口開口部と、
前記入口開口部から離れた位置において前記袋部材(1;101)の下部に設けられた排出部(6;106)であって、前記入口開口部から前記袋部材(1;101)の内部に流入した前記袋部材内の人体排泄物を外部に排出するために袋が開いている排出状態から袋が閉じている使用状態へ袋の状態を変えるための閉鎖装置(7;107)を有し、前記袋部材が使用者に装着された状態において、使用者が立っているときの前記袋部材の上下方向に対応する縦方向に延在する排出部(6;106)と、
前記袋部材(1;101)の前記外側輪郭内にあり、袋の使用状態にて前記排出部(6;106)の少なくとも一部分を収容する収容手段(8;108)と、を備えた人体排泄物の収集袋であって、
前記袋部材(1;101)が少なくとも第１および第２の管状の内側フィルム要素(9,10;109,110)をその内部に含み、前記管状の内側フィルム要素のそれぞれは、少なくとも一つのジョイント(12-15;113,115)によって各外側フィルムブランク(2,3)の内側に取り付けられ、前記第１および第２の管状の内側フィルム要素は、前記縦方向と平行である区分線(11;111)の両側に位置し、前記区分線は、前記縦方向において前記排出部(6;106)と整合しており、前記管状の内側フィルム要素(9,10;109,110)のそれぞれの管軸線が前記縦方向と平行であり、袋が空になった際に管状の形状から押し潰されて扁平な形状となった前記内側フィルム要素のそれぞれにおいて前記ジョイントの外側に折り目が形成され、前記折り目は、前記区分線(11;111)に直交する方向において前記区分線に対して遠い側の遠位側折り目(24,25;124,125)および近い側の近位側折り目(22,23;122,123)を有し、
前記第１の管状の内側フィルム要素(9;109)と一つの外側フィルムブランク(2又は3)との間のジョイント、および、前記第２の管状の内側フィルム要素(10;110)と前記一つの外側フィルムブランク(2又は3)との間のジョイントは、それぞれ、前記近位側折り目の位置若しくはその近傍に少なくとも一つの近位側ジョイントセクション(12,13;113)を含み、前記遠位側折り目の位置若しくはその近傍に少なくとも一つの遠位側ジョイントセクション(14,15;115)を含み、前記近位側ジョイントセクション(12,13;113)の少なくとも下部と前記近位側折り目(22,23;122,123)との間の、前記縦方向に直交する横方向における距離（Ａ）が前記遠位側ジョイントセクション(14,15;115)の少なくとも下部と前記遠位側折り目(24,25;124,125)との間の前記横方向における距離（Ｃ）よりも短く、
前記収容手段(8;108)は、袋の使用状態にて折り畳まれた前記排出部(6;106)の少なくとも一部分を収容するための収容開口部(20)を提供する収容開口部用要素(52;152)を含み、前記収容開口部用要素は、前記一つの外側フィルムブランク(2又は3)に取り付けられており、前記収容開口部は前記第１および第２の管状の内側フィルム要素(9,10;109,110)のそれぞれの前記近位側ジョイントセクション(12,13;113)同士の間で前記横方向に延在する、収集袋。
【請求項２】
前記第１および第２の管状の内側フィルム要素(9,10)のそれぞれと、前記一つの外側フィルムブランク(2又は3)との間の前記ジョイントの少なくとも前記近位側ジョイントセクション(12,13)は、前記近位側ジョイントセクション同士が前記排出部(6)の方向で収束するように、前記区分線(11)に対して斜めに延在する、請求項１に記載の収集袋。
【請求項３】
前記遠位側ジョイントセクション(14,15)と前記遠位側折り目(24,25)との間の前記横方向における距離（Ｃ）は、前記近位側ジョイントセクション(12,13)の下部と前記近位側折り目(22,23)との間の前記横方向における距離（Ａ）よりも長く、前記近位側ジョイントセクションの上部と前記近位側折り目との間の前記横方向における距離（Ｂ）よりも短い、請求項２に記載の収集袋。
【請求項４】
前記区分線(11)に対して斜めに延在する前記近位側ジョイントセクション(12,13)のそれぞれと前記区分線(11)との間の傾斜角は５度から６０度の範囲である、請求項２または３に記載の収集袋。
【請求項５】
前記区分線(11)に対して斜めに延在する前記近位側ジョイントセクション(12,13)の下端同士の間の前記横方向における距離は、前記排出部(6)の少なくとも一部分を前記収容手段(8)に収容した状態において、前記排出部の、前記近位側ジョイントセクションの前記下端に対応した部分の断面寸法と一致する、請求項２から４のいずれか一項に記載の収集袋。
【請求項６】
前記近位側ジョイントセクション(113)は、前記近位側ジョイントセクションと前記近位側折り目(123)との間の前記横方向における距離（Ａ，Ｂ）が均一になるように、前記近位側折り目と平行であり、前記距離（Ａ，Ｂ）が前記遠位側ジョイントセクション(115)と前記遠位側折り目(125)との間の前記横方向における距離（Ｃ）よりも短い、請求項１に記載の収集袋。
【請求項７】
前記近位側ジョイントセクション(113)同士の間の前記横方向における距離が前記排出部(106)の対応する部分の断面寸法と一致する、請求項６に記載の収集袋。
【請求項８】
前記収容開口部用要素(52;152)は、前記袋部材(1;101)の装着時の快適性を向上させるため及び／又は前記外側フィルムブランク(2,3)が透明の場合に前記袋部材内の前記人体排泄物が見えないようにするための、前記一つの外側フィルムブランクの上に重なる快適層(52;152)の一部であり、前記収容開口部(20)は前記快適層のスリット(20)により与えられる、請求項１から７のいずれか一項に記載の収集袋。
【請求項９】
補強層(21)が少なくとも前記スリット(20)の領域で前記一つの外側フィルムブランク(2又は3)と前記快適層(52)との間に挿入されている、請求項８に記載の収集袋。
【請求項１０】
前記ジョイントセクション(12,13,14,15;113,115)は、該セクションの端で、補強材を含むスポット、スポット溶接、又は連続的な溶接を用いて補強されている、請求項１から９のいずれか一項に記載の収集袋。
【請求項１１】
管状の内側フィルム要素(9,10;109,110)のそれぞれが前記排出部(6;106)の近傍に位置する前記袋部材(1;101)の領域に設けられている、請求項１から１０のいずれか一項に記載の収集袋。
【請求項１２】
前記袋部材(1;101)は前記区分線(11;111)を対称軸とした対称な形状を成している、請求項１から１１のいずれか一項に記載の収集袋。
【発明の詳細な説明】
【技術分野】
【０００１】
本発明は、袋部材の外側輪郭を画成する結合エッジを備えた少なくとも二つの外側フィルムブランクと、前記フィルムブランクの一つに設けられた入口開口部と、入口開口部から離れた位置にあり、袋が開いている排出位置から袋が閉じている使用位置へ袋の状態を変えるための閉鎖装置を袋部材の下部に持ち、縦方向を定める排出部と、袋部材の外側輪郭内にあり、袋の使用位置にて排出部の少なくとも一部分を収容する収容手段と、を有する人体排泄物の収集袋に関する。
【背景技術】
【０００２】
このような収集袋では、一般に、この位置において小型の外観を実現し、排出部と密閉装置がぶら下がって使用者が不快になることを防止するため、袋の使用位置にて排出部の少なくとも一部分を袋部材に一時的に取り付けることが望ましい。
【０００３】
細長い、実質的に平らな排出部を有する袋において、この排出部は、袋部材の方向に折り畳まれるか、または、巻き上げられ、次に、一方で袋を閉じるため、もう一方で前記小型の外観と袋部材への取り付けを実現するため、袋部材に一時的に固定される。
【０００４】
しかし、ある種の閉鎖装置、例えば、弁またはクランプを有する収集袋の場合、上記の解決手法は適用されない。
【０００５】
米国特許第４，５１９，７９７号明細書は、パウチの底にドレインフィッティングを有するストーマパウチ用のカバーを開示する。このカバーは、パウチを通常の方法で患者が着用するプレートにはめ込むことを可能にする開口部を有する。このパウチは、人体の敏感な部分への刺激を防止するためドレインフィッティングを収容する一体的なポケットを有する。
【０００６】
しかし、この解決手法は、ドレインフィッティングが人体の敏感な部分に直接的に接触することを防止するが、パウチが嵩張る原因となるので、行動の自由の要求を制限する。
【０００７】
米国特許第４，４４９，９７１号明細書は、最初に説明した種類の収集袋であって、入口スリットを有するポケットの形をした収容手段が袋部材の拡張部に形成された収集袋を開示する。同様の配置は、例えば、米国特許第３，８６５，１６５号および第４，３０６，０２９号明細書に記載されている。
【０００８】
上記のすべての配置において、袋の外側輪郭は収容手段のために拡大するので、袋の全体的な寸法がより大きくなる。
【０００９】
本出願人の国際公開公報第０１／２１１１５号パンフレットには、最初に説明した種類の収集袋であって、袋部材の外側輪郭内に形成された、外側フィルムブランクが互いに分離できないように連結される基本部を有する開口容器を用いて収容手段が設けられ、基本部の周囲は袋部材の結合エッジおよび排出部から離れた場所に位置する収集袋が開示される。
【００１０】
この配置は、袋がその内容物によって膨張したときに、閉鎖装置がフィルムブランクによって形成された弓形の面から外側へ突出することなく完全に収容手段に入れられ、袋の外側輪郭が収容手段によって影響されない、収集袋を提供する。
【００１１】
しかし、袋の残りの部分のうち人体排泄物のため利用できる容積が減少することは、基本部の寸法が閉鎖装置の寸法に適合しているとしても、基本部の大きさが原因となって避けられない。さらに、この収集袋は、例えば、使用者が袋を空にする間に排出部に引張力を加えた場合に、排出口への通路を遮る傾向が見られ、さらに、使用位置にねじれが生じる傾向がある。
【発明の開示】
【発明が解決しようとする課題】
【００１２】
上記の背景技術に鑑みて、本発明の目的は、使用者の快適さと行動の自由を維持したままの状態で人体排泄物のため利用できる寸法および容積が最適化されるように冒頭に記載された種類の収集袋を改良することである。
【課題を解決するための手段】
【００１３】
上記の目的およびさらなる目的は、人体排泄物を収集するための袋部材であって、前記袋部材の外側輪郭を画成する結合エッジにて少なくとも二つの外側フィルムブランクを接合することにより形成された袋部材と、前記少なくとも二つの外側フィルムブランクのうち、使用者に前記袋部材が装着された状態において使用者の方を向く外側フィルムブランクに設けられ、前記袋部材内に人体排泄物を入れるための入口開口部と、前記入口開口部から離れた位置において前記袋部材の下部に設けられた排出部であって、前記入口開口部から前記袋部材の内部に流入した前記袋部材内の人体排泄物を外部に排出するために袋が開いている排出状態から袋が閉じている使用状態へ袋の状態を変えるための閉鎖装置を有し、前記袋部材が使用者に装着された状態において、使用者が立っているときの前記袋部材の上下方向に対応する縦方向に延在する排出部と、前記袋部材の前記外側輪郭内にあり、袋の使用状態にて前記排出部の少なくとも一部分を収容する収容手段と、を備えた人体排泄物の収集袋であって、前記袋部材が少なくとも第１および第２の管状の内側フィルム要素をその内部に含み、前記管状の内側フィルム要素のそれぞれは、少なくとも一つのジョイントによって各外側フィルムブランクの内側に取り付けられ、前記第１および第２の管状の内側フィルム要素は、前記縦方向と平行である区分線の両側に位置し、前記区分線は、前記縦方向において前記排出部と整合しており、前記管状の内側フィルム要素のそれぞれの管軸線が前記縦方向と平行であり、袋が空になった際に管状の形状から押し潰されて扁平な形状となった前記内側フィルム要素のそれぞれにおいて前記ジョイントの外側に折り目が形成され、前記折り目は、前記区分線に直交する方向において前記区分線に対して遠い側の遠位側折り目および近い側の近位側折り目を有し、前記第１の管状の内側フィルム要素と一つの外側フィルムブランクとの間のジョイント、および、前記第２の管状の内側フィルム要素と前記一つの外側フィルムブランクとの間のジョイントは、それぞれ、前記近位側折り目の位置若しくはその近傍に少なくとも一つの近位側ジョイントセクションを含み、前記遠位側折り目の位置若しくはその近傍に少なくとも一つの遠位側ジョイントセクションを含み、前記近位側ジョイントセクションの少なくとも下部と前記近位側折り目との間の、前記縦方向に直交する横方向における距離が前記遠位側ジョイントセクションの少なくとも下部と前記遠位側折り目との間の前記横方向における距離よりも短く、前記収容手段は、袋の使用状態にて折り畳まれた前記排出部の少なくとも一部分を収容するための収容開口部を提供する収容開口部用要素を含み、前記収容開口部用要素は、前記一つの外側フィルムブランクに取り付けられており、前記収容開口部は前記第１および第２の管状の内側フィルム要素のそれぞれの前記近位側ジョイントセクション同士の間で前記横方向に延在する、収集袋を提供することによって達成される。
【００１４】
このような管状の内側フィルム要素を備えた袋部材を提供することにより、利用可能な大容量と、膨張しない袋部材とを有する収集袋に対する要求が実現され、同時に、管状の内側フィルム要素と、近位側折り目から近位側セクションの少なくとも下部までの距離が遠位側折り目に対する遠位側ジョイントの対応した部分の距離よりも短い近位側セクションを有するフィルムブランクと、の間にジョイントを設けることにより、排出部のための十分な空間が袋部材に作られることを保証する。
【００１５】
好適な一実施形態では、第１および第２の管状のフィルム要素のそれぞれと、前記一つの外側フィルムブランクとの間のジョイントの少なくとも近位側セクションは、前記ジョイントセクションが排出部の方向で収束するように、前記区分線に対して斜めに延在する。これにより、二つの管状の内側フィルム要素の間に作られた収容手段は実質的に楔形をしているので、利用できる容積と使用者にとっての快適さとの間に最適バランスが得られる。
【００１６】
この実施形態の有利なさらなる展開では、遠位側ジョイントセクションと遠位側折り目との間の距離は、近位側ジョイントセクションの下部と近位側折り目との間の距離よりも長く、近位側ジョイントセクションの上部と近位側折り目との間の距離よりも短い。
【００１７】
斜めのジョイントセクションのそれぞれと区分線との間の傾斜角は、好ましくは、５度から６０度の範囲に収まる。適当な傾斜角の選択は、望ましい袋の容量と、排出部および管状フィルム要素の寸法とを考慮して行われる。
【００１８】
斜めのジョイントセクションの下端間の距離は、好ましくは、排出部の対応した部分の断面寸法と一致する。このようにして、収容手段によって生じる容積の減少はできる限り少なくなる。
【００１９】
別の一実施形態では、近位側ジョイントセクションは、近位側ジョイントセクションと近位側折り目との間の距離が均一になり、前記距離が遠位側ジョイントセクションと遠位側折り目との間の距離よりも短くなるように、近位側折り目と平行である。
【００２０】
袋の内容物のために利用できる容積の減少をできる限り少なくするため、近位側ジョイントセクション間の距離が、好ましくは、排出部の対応する部分の断面寸法と一致する。
【００２１】
有利な一実施形態では、排出部を収容する開口部（収容開口部）は、当該フィルムブランクの上に重なる快適層にスリットとして設計される。快適層を設けることにより、収集袋を簡単に製造できるようになり、さらに、たとえフィルムブランクが透明な材料で作られているとしても、収集袋の内容物を外側から見えなくすることが可能であり、さらに、快適層は、収集袋の取扱いと着用をより快適にする。
【００２２】
快適層が引き裂け、または、破裂することを防止するため、少なくともスリットの領域で補強層が快適層とフィルムブランクとの間に挿入される。
【００２３】
ジョイントセクションは、セクションの端で、補強材を含むスポット、スポット溶接、連続部などを用いて補強される。
【００２４】
収容手段の境界を定める二つの管状の内側フィルム要素に加えて、袋が満杯の状態における袋材料の厚さを調節するため、さらなる管状の内側フィルム要素を袋部材に設けてもよい。
【００２５】
好ましくは、管状の内側フィルム要素のそれぞれが、排出部の付近に位置する袋部材の領域に設けられる。
【００２６】
袋部材は、前記区分線に対して対称でもよい。  
さらなる特徴および効果は、以下の詳細な説明から容易に理解されるであろう。
【発明を実施するための最良の形態】
【００２７】
以下、本発明が概略図を参照して詳細に説明される。  
図面に示された収集袋は、二つのフィルムブランク２および３により形成された袋部材１を含み、フィルムブランク２および３は、溶接によって、または、その他の都合のよい方法で作られた、袋部材の外側輪郭を画成するシーム４を用いてそれらのエッジに沿って接合される。フィルムブランクは、適当な軟質プラスチックシートまたは箔材料から作られる。袋をより快適に装着できるようにするため、および／または、透明フィルムブランクの場合に袋の内容物が見えないようにするため、快適層５２、５３がそれぞれのフィルムブランク２、３の上に重ねて設けられる。快適層は、不織布材料、または、望ましい特性を有するその他の適当な材料から作られる。
【００２８】
使用時にユーザの方を向き、すなわち、袋の後壁を形成するフィルムブランク３に、図示されない入口開口部が設けられる。入口開口部は、特に知られている方法で、袋を、使用者の腹壁にある、いわゆる、瘻孔の形をした身体の穴に連結するための、または、尿失禁用袋の場合に管部材と連結するための連結要素５によって取り囲まれる。オプション部品として、逆止弁が、特に知られている方法で、入口開口部とバッグ部材の下部との間に配置される。この点に関して、「上部」および「下部」のような用語は、図示された位置を表し、使用者が、例えば、まっすぐに立っているとき、または、座っているときにその袋が位置していると考えられる位置に対応している。
【００２９】
入口開口部から離れた位置で、すなわち、袋部材の下部において、袋は、詳細には図示されない排出開口部を有する排出部６を具備するように構成され、袋は、図示された実施形態では弁として構成されているが、その他の態様で構成してもよい閉鎖装置７を用いて、この排出開口部を通って内容物が抜けて空になる。
【００３０】
閉鎖装置を開くことにより袋の内容物が抜けて空になる図１に示されるような排出位置から、袋が閉じられ、閉鎖装置を含む排出部の少なくとも一部が袋部材の外側輪郭から突出しない使用位置に袋の状態を変えるため、収集袋は全体的に番号８で示された収容手段を含む。次に、この収容手段の機能および構造を詳述する。
【００３１】
図３および図４に最も明瞭に示されるように、袋部材は、多数の管状の内側フィルム要素９および１０を含む。収集袋、および、このような管状の内側フィルム要素を有する袋を製造するための製造方法は、本出願人の国際公開公報第９３／１７６４３号の対象であり、本出願では詳細に説明されない。用語「管状」は最も広い意味で、すなわち、少なくとも一つの空洞を有する任意の要素により構成されるものとして解釈されるべきことに注意する必要がある。管状の内側フィルム要素のそれぞれは、したがって、一つ以上の管形状フィルムブランク、または、相互に連結された複数のブランクにより構成される。
【００３２】
図示された実施形態では、第１および第２の環状の内側フィルム要素９および１０は、袋部材の下部に、すなわち、排出部６によって規定される縦方向と平行である区分線１１に関して対称的に排出部６の近くに設けられる。本例において、区分線は排出部の縦方向と一致し、袋部材の対称線を形成し、一点鎖線で表示されている。
【００３３】
管状の内側フィルム要素９、１０のそれぞれは、例えば、上記の国際出願に記載されているように、例えば、溶接またはヒートシーリングを用いて設けられたジョイント１２から１９によって、前方フィルムブランク２および後方フィルムブランク３の内側に取り付けられる。管状の内側フィルム要素のそれぞれは、袋が実質的に空であるとき、すなわち、図４に示された状態にあるとき、区分線１１に関して遠位側折り目２４、２５と、近位側折り目２２、２３とを含む。用語「折り目」は、管状の内側フィルム要素が空の袋の状態でとる近似形状を表しているに過ぎない。図１から図６に示された実施形態において、第１および第２の管状のフィルム要素９、１０と前方フィルムブランク２との間の少なくともジョイント１２から１５は、区分線に対して斜めに、すなわち、ある角度で延在するジョイントセクション１２、１３を含む。区分線に近接した方に位置する斜めのジョイントセクションは、近位側ジョイントセクション１２の下部の端と、近位側折り目２２との間の距離Ａが、近位側ジョイントセクション１２の上部の端と、近位側折り目２２との間の距離Ｂよりも短くなるように、排出部の方向で収束する。本実施形態では、遠位側ジョイントセクション１４は、距離Ｃが遠位側ジョイントセクションの全体を通じて均一であるように、遠位側折り目２４と平行に延在する。好ましくは、距離Ｃは、距離Ｂよりも短く、距離Ａよりも長い。
【００３４】
各斜めのジョイントセクションと区分線との間の傾斜角αは変化しても構わないが、好ましくは、５度から６０度の範囲に収まる。図示された実施形態では、この角度は約２０度である。
【００３５】
好ましくは、斜めのジョイントセクション１２と１３との下端同士の間の距離は、排出部の対応した部分の断面寸法と一致する。
【００３６】
図３に示されるように、管状の内側フィルム要素は、端部開放の区画を形成し、その区画に袋の内容物が収容される。さらに管状の内側フィルム要素が、シーム４の付近で第１および第２の管状フィルム要素９、１０の両側に、または、入口開口部の近傍で第１および第２の管状フィルム要素の上方若しくは下方に形成され得る。
【００３７】
第１および第２の管状の内側フィルム要素の斜めのセクションの間に、閉鎖装置を含む排出部の少なくとも一部を収容する収容手段８が形成される。
【００３８】
収容手段は快適層５２に形成されたスリット２０（収容開口部）を含み、そのスリットの中に排出部６の閉鎖装置７が挿入される。
【００３９】
ジョイントセクション１２、１３は区分線１１に対して傾斜しているので、袋部材は、収容手段の領域で少なくとも部分的に満たされた状態で、前方壁と後方壁との間で測定され、当該管状の内側フィルム要素の内側寸法に対応する袋要素の厚さが、これらのジョイントセクションの下端で上端よりも小さくなるような形状になる。管状の内側フィルム要素によって形成された区画の厚さは、それぞれに測定量Ａ、ＢおよびＣによって決まり、近位側ジョイントセクションにおける下端の厚さが２×Ａであり、このセクションの上端における厚さが２×Ｂであり、遠位側セクションにおける厚さが２×Ｃである。
【００４０】
上端と下端の間の厚さの変動は、ジョイントセクションの傾斜角に依存し、閉鎖装置が第１の管状の内側フィルム要素と第２の管状の内側フィルム要素の斜めのジョイントセクションの間に設けられた空間に入れられることを必然的に伴う。すなわち、管状内側フィルム要素自体によって形成された区画の方が厚さ方向に大きく広がるので、閉鎖手段は、図３に破線で示されるような袋部材の全体的な形状によって決まる弓形の面から外側へ突出しない。
【００４１】
図１から図４に示されるような位置から図５に示されるような位置に収集袋の状態を変えるため、排出部６は袋部材１との連結部の付近で折り曲げられ、閉鎖装置７の自由端がスリット２０に挿入される。通常、閉鎖手段７は、袋を空にした直後に、すなわち、袋部材１が実質的に平らであるときに、収容手段８の中に配置される。しかし、袋が充填されているときに閉鎖手段７を収容手段に配置することも可能である。
【００４２】
斜めのジョイントセクションと外側フィルムブランクとの間の実質的に楔形の空間と、閉鎖手段が挿入される開口部を作る要素により閉鎖手段に加えられた圧力との組み合わせによって、必然的に、閉鎖装置は袋が充填されているときに袋部材の中へ押し込まれる。
【００４３】
第２の管状の内側フィルム要素は、対称的な形で前方フィルムブランクに取り付けてもよい。
【００４４】
ジョイントの別の構成は図６に示されている。図６（ａ）は上記の実施形態に対応し、一方、図６（ｂ）はジョイントの端が補強材を含むスポットを用いて、または、スポット溶接によって補強されている。図６（ｃ）は、管状の内側フィルム要素と外側フィルムブランクとの間の連結がスポット溶接によって実行され、斜めのジョイントセクションが二つのスポットの間に延在する様子を示す。図６（ｄ）から（ｆ）は、ジョイントが連続的な溶接として実行されることを示す。
【００４５】
斜めに延在するジョイントセクションの傾斜角αは、人体排泄物のため利用できる容積の許容可能な減少量に応じて選ばれ、角度が小さくなると、大きい角度よりも利用可能な容積が減少する。明らかに、傾斜角は同様に管状フィルム要素の寸法に依存する。
【００４６】
図７には、収集袋の別の実施形態が示されている。要素は図１から図６に示された第１の実施形態と複数の構造的な類似点がある。したがって、第１の実施形態と同一または類似の機能を有する要素の参照番号は、第１実施形態の参照番号に１００を加えた番号であり、第１の実施形態との相違点だけが詳述される。
【００４７】
本実施形態において、近位側ジョイントセクション１１２は近位側折り目１２２と平行であるので、近位側ジョイントセクションと近位側折り目との間の距離Ａ、Ｂは均一である。距離Ａ、Ｂは、遠位側ジョイントセクション１１４と遠位側折り目１２４との間の距離Ｃよりも短い。
【００４８】
遠位側ジョイントセクション間の距離は、排出部の対応した部分の断面寸法と一致する。
【００４９】
ジョイントセクションを折り目と平行に作ることで、実質的に均一な袋の高さがこの領域に実現される。
【００５０】
管状の内側フィルム要素と後方フィルムブランクとの間の連結は、前方フィルムブランクとのジョイントに対応した方法で実行され、或いは、異なる方法で実行され、上述のように変えることができる。
【００５１】
さらに、好ましくはないが、収容手段を袋要素の裏側に、すなわち、収集袋が着用されるときに使用者の方へ向けられる側面に形成することが当然に考えられる。
【００５２】
閉鎖装置を収容するための開口部を作る要素（収容開口部用要素）は、原理的に、外側フィルムブランクの間に延在し、近位側ジョイントセクションを用いて外側フィルムブランクに取り付けられたストリップ状の要素により構成される。閉鎖装置は、このようにして、このようなストリップ状の要素の下端の下に挿入される。
【００５３】
ストリップ状の要素であろうと、図示された実施形態に記載されているように快適層５２、１５２であろうと、当該要素（収容開口部用要素）が、例えば、引き裂きによって使用中に破壊されないことを保証するため、補強層２１が図３に示されるように要素とフィルムブランクとの間に挿入される。近位側ジョイントセクションが収容手段の両側に存在することによって、さらに、必然的に、スリットが縦方向に広げられる可能性が効果的に阻止される。
【００５４】
閉鎖装置を収容するための開口部（収容開口部）、すなわち、ストリップ状の要素の下端、または、快適層のスリット２０は、閉鎖装置が、著しい器用さを要求することなく、または、排出部若しくは快適層の何れかの部分を破損する危険性を伴うことなく、楽に挿入できるよう排出部から離れた位置に形成される。
【００５５】
スリットは、図示されるように、区分線に対して実質的に垂直に延在する。適切であると考えられるならば、スリットが第１の管状の内側フィルム要素と第２の管状の内側フィルム要素との近位側ジョイントセクション同士の間に延在し、排出部をこれらのセクションの間に設けられた空間に入れることが可能である限り、スリットは区分線に対して任意の適当な傾斜をもつ。
【００５６】
本発明は上記の実施形態に限定されるものとして見なすべきではなく、多様な変形が請求項に記載された事項の範囲を逸脱することなく実現される。
【００５７】
例えば、本発明は、１種類の閉鎖装置、すなわち、弁だけについて説明されているが、勿論、本発明は、例えば、クランプまたは粘着性連結部を含むその他の形式の閉鎖装置に適用することができる。
【図面の簡単な説明】
【００５８】
【図１】少なくとも一部が満たされたときの形状で表された本発明による収集袋の排出位置における部分断面を含む側面図である。
【図２】図１に示された収集袋の平面図である。
【図３】図２のラインＩＩＩ−ＩＩＩによる収集袋の断面図である。
【図４】空にされたときの形状で表された図１に示された収集袋の部分断面を含む平面図である。
【図５】図１に示された収集袋の使用位置における平面図である。
【図６】図６（ａ）〜（ｆ）は、代替的なジョイント構造の図４の一部に対応する非常に概略的な縮小図である。
【図７】本発明による収集袋の別の実施形態の図４に対応する図である。
【図１】
0004372559.tif 000002
【図２】
0004372559.tif 000003
【図３】
0004372559.tif 000004
【図６】
0004372559.tif 000005
【図４】
0004372559.tif 000006
【図５】
0004372559.tif 000007
【図７】
0004372559.tif 000008